(57)【要約】  【課題】  ＭＦＴへの電話着信を検出すると、同電話着信の発信相手に関係なく、全ての電話着信の情報を画面表示させてしまう。  【解決手段】  ＭＦＴ４と連動する電話制御アプリケーションを備えたＰＣ５であって、発信者番号毎に発信者名称を予め記憶したデータベース５３と、ＭＦＴへの電話着信に関わる発信者番号を検出する発信者番号検出部５１Ｂと、この発信者番号を検出すると、この発信者番号に対応した発信者名称がデータベース内にあるか否かを判定し、発信者名称があると判定されると、同電話着信の発信者情報画面１００を表示部５７に画面表示する制御部５８とを有している。【選択図】  図３
2006020146.tif 000002
【特許請求の範囲】
【請求項１】
電話機と連動する電話制御アプリケーションを備えた通信端末装置であって、
発信者番号毎に発信者情報を記憶した発信者情報記憶手段と、
前記電話機への電話着信に関わる発信者番号を検出する発信者番号検出手段と、
この発信者番号検出手段にて発信者番号を検出すると、この発信者番号に対応した発信者情報が前記発信者情報記憶手段内にあるか否かを判定する発信者情報有無判定手段と、
この発信者情報有無判定手段にて発信者情報があると判定されると、同発信者情報を前記電話制御アプリケーションに関わる表示画面上に画面表示させる制御手段とを有することを特徴とする通信端末装置。
【請求項２】
前記制御手段は、
前記発信者情報有無判定手段にて発信者番号に対応した発信者情報がないと判定されると、前記電話制御アプリケーションに関わる表示画面上への前記発信者番号に関わる情報の画面表示を禁止することを特徴とする請求項１記載の通信端末装置。
【請求項３】
前記電話制御アプリケーションに関わる表示画面上には、画面表示中の発信者情報の優先ボタンを有し、
前記発信者情報記憶手段は、
前記発信者番号毎に優先順位を記憶管理し、
前記制御手段は、
前記電話着信の発信者番号に対応した発信者情報の画面表示中に、前記発信者情報有無判定手段にて新たな電話着信の発信者番号に対応した発信者情報があると判定されると、新たな電話着信に関わる優先順位と現在画面表示中の電話着信に関わる優先順位とを比較する優先順位比較手段と、
この優先順位比較手段の比較結果に基づき、現在画面表示中の発信者情報の優先ボタンを表示制御する表示制御手段とを有することを特徴とする請求項１又は２記載の通信端末装置。
【請求項４】
前記発信者情報記憶手段は、
前記発信者番号毎に優先順位を記憶管理し、
前記制御手段は、
前記発信者情報有無判定手段にて発信者番号に対応した発信者情報があると判定されると、この発信者番号に対応した優先順位に基づき、同発信者情報を前記電話制御アプリケーションに関わる表示画面上に画面表示させることを特徴とする請求項１又は２記載の通信端末装置。
【請求項５】
前記電話制御アプリケーションに関わる表示画面上には、画面表示中の発信者情報の応答ボタンを有し、
前記制御手段は、
前記応答ボタンのボタン操作を検出すると、同発信者情報に関わる電話着信に対して応答することを特徴とする請求項１、２、３又は４記載の通信端末装置。
【請求項６】
前記電話制御アプリケーションに関わる表示画面上には、画面表示中の発信者情報の切替ボタンを有し、
前記制御手段は、
前記切替ボタンのボタン操作を検出すると、前記画面表示中の発信者情報を他の電話着信に関わる発信者情報に切替表示することを特徴とする請求項１、２，３、４又は５記載の通信端末装置。
【請求項７】
電話機と連動する電話制御アプリケーションを備えた通信端末装置であって、
発信者番号を記憶した発信者情報記憶手段と、
前記電話機への電話着信に関わる発信者番号を検出する発信者番号検出手段と、
この発信者番号検出手段にて発信者番号を検出すると、この発信者信号が前記前記発信者情報記憶手段内にあるか否かを判定する発信者情報有無判定手段と、
この発信者情報有無判定手段にて発信者番号があると判定されると、同発信者番号を前記電話制御アプリケーションに関わる表示画面上に画面表示させる制御手段とを有することを特徴とする通信端末装置。
【請求項８】
前記制御手段は、
前記発信者情報有無判定手段にて前記発信者情報記憶手段内に発信者番号がないと判定されると、前記電話制御アプリケーションに関わる表示画面上への前記発信者番号に関わる情報の画面表示を禁止することを特徴とする請求項７記載の通信端末装置。
【発明の詳細な説明】
【技術分野】
【０００１】
本発明は、例えば電話交換機と、この電話交換機に収容接続する電話機と有する電話交換システム内に配置され、前記電話機と連動する電話制御アプリケーションを備えた、例えばパソコン等の通信端末装置に関する。
【背景技術】
【０００２】
従来、このような通信端末装置として、本出願人は次に説明する技術内容の通信端末装置を出願している（例えば特許文献１参照）。
【０００３】
特許文献１の通信端末装置は、電話交換機と、この電話交換機に収容接続する電話機とを有する電話交換システム内に配置され、前記電話機と連動する電話制御アプリケーションを備え、発信者番号及び、この発信者番号に対応した発信者名称を記憶するデータベースと、前記電話機への複数の同時着信を検出すると、これら同時着信中の発信者番号を検出する発信者番号検出手段と、この発信者番号検出手段にて同時着信中の発信者番号を検出すると、これら同時着信中の発信者番号に対応する発信者名称を前記データベースから検索する検索手段と、この検索手段にて検索した発信者名称を前記電話制御アプリケーションの表示画面上に画面表示する表示制御手段を有したものである。
【０００４】
この特許文献１の通信端末装置によれば、電話機への複数の同時着信を検出すると、これら同時着信に関わる発信者番号を検出し、これら同時着信に関わる発信者番号に対応した発信者名称を検索し、これら検索結果である同時着信に関わる発信者名称を電話制御アプリケーションに関わる表示画面上に画面表示するようにしたので、電話機に複数の同時着信があったとしても、同時着信に関わる発信者名称を表示することができる。
【０００５】
また、この通信端末装置によれば、発信者番号に対応する発信者名称が得られなくても、同発信者番号だけを電話制御アプリケーションに関わる表示画面上に画面表示するようにしている。
【特許文献１】特開２００２−３５４１０９号公報(図１及び要約書参照)
【発明の開示】
【発明が解決しようとする課題】
【０００６】
しかしながら、上記従来の通信端末装置によれば、同通信端末装置と連動する電話機への電話着信を検出すると、同着信に関わる発信者番号に対応した発信者名称をデータベースから検索し、同データベース内に発信者番号に対応する発信者名称があるか否かに関係なく、同着信に関わる発信者名称若しくは発信者番号を、電話制御アプリケーションに関わる表示画面上に画面表示させるようにしたが、例えば電話機ユーザが電話着信の内、特定ユーザだけからの電話着信に関わる発信者名称の画面表示を望んだとしても、特定ユーザからの電話着信であるか否かに関係なく、同電話機への電話着信を検出すると、全ての電話着信に関わる発信者番号や発信者名称が画面表示されてしまうことになるため、その使い勝手が良くない。
【０００７】
本発明は上記点に鑑みてなされたものであり、その目的とするところは、特定ユーザだけからの電話着信の発生及び同電話着信の発信者情報を電話機ユーザに報知することができる、使い勝手の優れた通信端末装置を提供することにある。
【課題を解決するための手段】
【０００８】
上記目的を達成するために本発明の通信端末装置は、電話機と連動する電話制御アプリケーションを備えた通信端末装置であって、発信者番号毎に発信者情報を記憶した発信者情報記憶手段と、前記電話機への電話着信に関わる発信者番号を検出する発信者番号検出手段と、この発信者番号検出手段にて発信者番号を検出すると、この発信者番号に対応した発信者情報が前記発信者情報記憶手段内にあるか否かを判定する発信者情報有無判定手段と、この発信者情報有無判定手段にて発信者情報があると判定されると、同発信者情報を前記電話制御アプリケーションに関わる表示画面上に画面表示させる制御手段とを有するようにした。
【０００９】
本発明の通信端末装置は、前記制御手段が、前記発信者情報有無判定手段にて発信者番号に対応した発信者情報がないと判定されると、前記電話制御アプリケーションに関わる表示画面上への前記発信者番号に関わる情報の画面表示を禁止するようにした。
【００１０】
本発明の通信端末装置は、前記電話制御アプリケーションに関わる表示画面上には、画面表示中の発信者情報の優先ボタンを有し、前記発信者情報記憶手段は、前記発信者番号毎に優先順位を記憶管理し、前記制御手段は、前記電話着信の発信者番号に対応した発信者情報の画面表示中に、前記発信者情報有無判定手段にて新たな電話着信の発信者番号に対応した発信者情報があると判定されると、新たな電話着信に関わる優先順位と現在画面表示中の電話着信に関わる優先順位とを比較する優先順位比較手段と、この優先順位比較手段の比較結果に基づき、現在画面表示中の発信者情報の優先ボタンを表示制御する表示制御手段とを有するようにした。
【００１１】
本発明の通信端末装置は、前記発信者情報記憶手段が、前記発信者番号毎に優先順位を記憶管理し、前記制御手段は、前記発信者情報有無判定手段にて発信者番号に対応した発信者情報があると判定されると、同発信者番号に対応した優先順位に基づき、同発信者情報を前記電話制御アプリケーションに関わる表示画面上に画面表示させるようにした。
【００１２】
本発明の通信端末装置は、前記電話制御アプリケーションに関わる表示画面上には、画面表示中の発信者情報の応答ボタンを有し、前記制御手段は、前記応答ボタンのボタン操作を検出すると、同発信者情報に関わる電話着信に対して応答するようにした。
【００１３】
本発明の通信端末装置は、前記電話制御アプリケーションに関わる表示画面上には、画面表示中の発信者情報の切替ボタンを有し、前記制御手段は、前記切替ボタンのボタン操作を検出すると、前記画面表示中の発信者情報を他の電話着信に関わる発信者情報に切替表示するようにした。
【００１４】
上記目的を達成するために本発明の通信端末装置は、電話機と連動する電話制御アプリケーションを備えた通信端末装置であって、発信者番号を記憶した発信者情報記憶手段と、前記電話機への電話着信に関わる発信者番号を検出する発信者番号検出手段と、この発信者番号検出手段にて発信者番号を検出すると、この発信者信号が前記前記発信者情報記憶手段内にあるか否かを判定する発信者情報有無判定手段と、この発信者情報有無判定手段にて発信者番号があると判定されると、同発信者番号を前記電話制御アプリケーションに関わる表示画面上に画面表示させる制御手段とを有するようにした。
【００１５】
本発明の通信端末装置は、前記制御手段が、前記発信者情報有無判定手段にて前記発信者情報記憶手段内に発信者番号がないと判定されると、前記電話制御アプリケーションに関わる表示画面上への前記発信者番号に関わる情報の画面表示を禁止するようにした。
【発明の効果】
【００１６】
上記のように構成された本発明の通信端末装置によれば、例えば特定ユーザの電話着信の発信者番号に対応した発信者情報を発信者情報記憶手段に予め記憶しておき、電話機への電話着信に応じて同着信に関わる発信者番号を検出すると、この発信者番号に対応する発信者情報が発信者情報記憶手段内にあるか否かを判定し、同発信者番号に対応する発信者情報があると判定されると、同発信者情報を電話制御アプリケーションに関わる表示画面上に画面表示するようにしたので、電話着信の内、特定ユーザ以外の他の電話着信に関わる発信者情報が画面表示されることはなく、電話機ユーザは、電話着信に関わる発信者情報の画面表示を見て、特定ユーザからの電話着信の発生及び同電話着信の発信者情報を認識することができる。
【００１７】
本発明の通信端末装置によれば、発信者番号に対応する発信者情報が発信者情報記憶手段内にないと判定されると、電話制御アプリケーションに関わる表示画面上への発信者番号に関わる情報の画面表示を禁止するようにしたので、特定ユーザ以外の他の電話着信に関わる情報が画面表示されることはなく、電話機ユーザは、特定ユーザからの電話着信の発生及び同電話着信の発信者情報を認識することができる。
【００１８】
本発明の通信端末装置によれば、発信者番号毎に発信者情報及び優先順位を予め記憶管理しておき、電話着信の発信者番号に対応した発信者情報を画面表示中に、発信者情報有無判定手段にて新たな電話着信の発信者番号に対応した発信者情報があると判定されると、新たな電話着信に関わる優先順位と現在画面表示中の電話着信に関わる優先順位とを比較し、この比較結果に基づき、現在画面表示中の発信者情報の優先ボタンを表示制御する、例えば新たな電話着信に関わる優先順位の方が高い若しくは同等であるとの比較結果を得ると、現在画面表示中の発信者情報の優先ボタンを点灯表示するようにしたので、電話機ユーザは、特定ユーザからの電話着信が複数発生したとしても、優先ボタンの点灯表示を見て、現在画面表示中の発信者情報に関わる電話着信よりも、優先順位の高い若しくは同等の電話着信の発生を認識することができる。
【００１９】
本発明の通信端末装置によれば、発信者番号毎に発信者情報及び優先順位を予め記憶管理しておき、発信者情報有無判定手段にて発信者番号に対応した発信者情報があると判定されると、同発信者番号に対応した優先順位に基づき、同発信者情報を前記電話制御アプリケーションに関わる表示画面上に画面表示させる、例えば優先順位の高い順に同発信者情報を表示画面上に画面表示させるようにしたので、電話機ユーザは、特定ユーザからの電話着信が複数発生したとしても、優先順位（重要度）の高い順に電話着信の発信者情報を認識することができる。
【００２０】
本発明の通信端末装置によれば、発信者情報の画面表示中に、同発信者情報の応答ボタンのボタン操作を検出すると、同発信者情報に関わる電話着信に対して応答するようにしたので、電話機ユーザは、応答ボタンのボタン操作で同発信者情報に関わる電話着信に応答することができる。
【００２１】
本発明の通信端末装置によれば、発信者情報の画面表示中に、同発信者情報の切替ボタンのボタン操作を検出すると、同画面表示中の発信者情報を他の電話着信に関わる発信者情報に切替表示するようにしたので、電話機ユーザは、切替ボタンのボタン操作で他の電話着信に関わる発信者情報を認識することができる。
【００２２】
上記のように構成された本発明の通信端末装置によれば、例えば特定ユーザの電話着信に対応した発信者番号を発信者情報記憶手段に予め記憶しておき、電話機への電話着信に応じて同着信に関わる発信者番号を検出すると、この発信者番号が発信者情報記憶手段内にあるか否かを判定し、発信者情報記憶手段内に同発信者番号があると判定されると、同発信者番号を電話制御アプリケーションに関わる表示画面上に画面表示するようにしたので、電話着信の内、特定ユーザ以外の他の電話着信に関わる発信者番号が画面表示されることはなく、電話機ユーザは、電話着信に関わる発信者番号の画面表示を見て、特定ユーザからの電話着信の発生及び同電話着信の発信者番号を認識することができる。
【００２３】
本発明の通信端末装置によれば、発信者情報有無判定手段にて発信者番号が発信者情報記憶手段内にないと判定されると、電話制御アプリケーションに関わる表示画面上への発信者番号に関わる情報の画面表示を禁止するようにしたので、特定ユーザ以外の他の電話着信に関わる情報が画面表示されることはなく、電話機ユーザは、特定ユーザからの電話着信の発生及び同電話着信の発信者番号を認識することができる。
【発明を実施するための最良の形態】
【００２４】
以下、図面に基づいて本発明の通信端末装置における実施の形態を示す電話交換システムについて説明する。図１は本実施の形態を示す電話交換システム内部の概略構成を示すブロック図である。
【００２５】
図１に示す電話交換システム１は、公衆網２と通信接続する電話交換機（以下、単にＰＢＸと称する）３と、このＰＢＸ３に収容接続する多機能電話機（以下、単にＭＦＴと称する）４と、ＭＦＴ４と連動する電話制御アプリケーションを備えたパソコン等の通信端末装置（以下、単にＰＣと称する）５とを有している。尚、ＭＦＴ４及びＰＣ５は、アダプタ６を通じてＰＢＸ３に通信接続するものである。
【００２６】
ＰＢＸ３は、公衆網２との通信インタフェースを司る局線トランク（以下、単にＣＯＴと称する）３１と、ＭＦＴ４側との通信インタフェースを司るデジタル多機能電話ラインユニット（以下、単にＤＭＴＬＩＮと称する）３２と、通話路を形成する通話路スイッチ部３３と、ＰＢＸ３に関わる様々な情報等を記憶するメモリ部（以下、単にＭＭと称する）３４と、このＰＢＸ３全体を制御する中央制御装置（以下、単にＣＣと称する）３５とを有している。
【００２７】
図２はＭＦＴ４の盤面を示す説明図である。
【００２８】
図２に示すＭＦＴ４は、通話を行うハンドセット４１と、ダイヤル番号を入力するダイヤルキー４２と、様々な情報を表示する表示部４３と、ワンタッチ操作で着信中の着信呼に着信応答するための２４個の着信ボタン４４と、着信ボタン４４毎に、その着信状況を通知するＬＥＤ４５とを有している。尚、着信ボタン４４は、夫々着信ボタン番号が付与されているものとする。
【００２９】
図３はＰＣ５内部の概略構成を示すブロック図である。
【００３０】
図３に示すＰＣ５は、ＭＦＴ４と連動するための電話制御アプリケーションをインストールし、アダプタ６を通じて電話に関わる通信インタフェースを司る電話インタフェース５１と、現在の着信状況を記憶管理する着信管理メモリ部５２と、例えば特定ユーザの発信者番号及び、この発信者番号に対応付けて発信者名称（発信者情報）を記憶管理するデータベース５３と、データベース５３のデータ内容を登録するデータベース登録部５４と、データベース５３のデータ内容を検索するデータベース検索部５５と、様々な情報を入力する操作部５６と、様々な情報を画面表示する表示部５７と、このＰＣ５全体を制御する制御部５８とを有している。
【００３１】
電話インタフェース５１は、アダプタ６を通じてＭＦＴ４への電話着信に対応した着信ボタン番号を検出する着信ボタン番号検出部５１Ａと、同着信ボタン番号に対応した同着信に関わる発信者番号を検出する発信者番号検出部５１Ｂと、同電話インタフェース５１内の電話制御を司る電話制御インタフェース部５１Ｃとを有している。
【００３２】
図４はデータベース５３のデータ内容を端的に示す説明図である。
【００３３】
図４に示すデータベース５３は、例えば特定ユーザの発信者番号を示す発信者番号欄５３Ａと、この発信者番号に対応した発信相手を識別する発信者名称を示す発信者名称欄５３Ｂと、発信者番号に対応した発信者の重要度を優先順位として示す優先順位欄５３Ｃとを記憶管理し、ＭＦＴ４のユーザは、ＰＣ５の操作部５６を通じて、例えば特定ユーザの発信者番号、発信者名称や優先順位を入力し、これら発信者番号、発信者名称及び優先順位を、データベース登録部５４を通じてデータベース５３内に登録変更することができるものである。尚、優先順位は、例えば“１”〜“３”の３段階とし、“１”を最も重要度が高いものとし、重要度は“３”→“２”→“１”の順に高くなるものとする。
【００３４】
ＰＣ５の制御部５８は、発信者番号検出部５１ＢにてＭＦＴ４への電話着信に関わる発信者番号を検出すると、データベース検索部５５を通じて同発信者番号に対応した発信者名称がデータベース５３内にあるか否かを判定し、このデータベース５３内に発信者番号に対応する発信者名称があると判定されると、同発信者名称をＰＣ５の表示部５７に画面表示するものである。
【００３５】
また、制御部５８は、発信者番号に対応した発信者名称がデータベース５３内にないと判定されると、同発信者番号に関わる情報の表示部５７への画面表示を禁止するものである。
【００３６】
図５は着信管理メモリ部５２のメモリ内容を端的に示す説明図である。
【００３７】
図５に示す着信管理メモリ部５２は、電話着信呼毎に現在の着信状況を一時記憶するものであり、着信先の着信ボタン４４を示す着信ボタン番号欄５２Ａと、例えば“着信中”等といった現在の着信状況を示す着信状況欄５２Ｂと、同着信に関わる発信者番号欄５２Ｃと、同発信者番号に対応する発信者情報がデータベース５３内に記憶管理されているか否かを示す該当データ有無欄５２Ｄと、同発信者番号に対応した発信者名称を示す発信者名称欄５２Ｅと、発信者番号に対応した発信者の優先順位を示す優先順位欄５２Ｆとを記憶管理し、最大Ｎ個までの着信呼を管理することができるものである。
【００３８】
図６はＰＣ５に画面表示中の発信者情報画面の一例を端的に示す説明図である。
【００３９】
図６に示す発信者情報画面１００は、電話制御アプリケーションに関わる表示画面に相当し、その画面スペースが大きくなることを防ぐため、単一の電話着信に関わる情報内容だけを画面表示し、その情報内容は、同電話着信に関わる着信ボタン番号１０１と、同着信ボタン番号に関わる発信者番号１０２と、同発信者番号に対応した発信者名称１０３と、同発信者情報画面１００上の電話着信に応答するための応答ボタン１０４と、他の電話着信に関わる発信者情報画面１００を切替表示するための切替ボタン１０５と、優先順位に基づき他の電話着信に関わる発信者情報画面１００を切替表示するための優先ボタン１０６とを有している。
【００４０】
尚、ＰＣ５の制御部５８は、発信者情報画面１００に関わる電話着信に応答可能な場合、発信者情報画面１００上の応答ボタン１０４を点灯表示すると共に、同応答ボタン１０４のボタン操作を検出すると、同発信者情報画面１００上の電話着信に応答すべく、ＭＦＴ４を制御するものである。
【００４１】
また、制御部５８は、優先順位未設定時において、ある電話着信に関わる発信者情報画面１００の画面表示中に、新たな電話着信を検出すると、同発信者情報画面１００上の切替ボタン１０５を点灯表示すると共に、同切替ボタン１０５のボタン操作を検出すると、この発信者情報画面１００を新たな電話着信に関わる発信者情報画面１００に切替表示するものである。
【００４２】
また、制御部５８は、優先順位設定時において、ある電話着信に関わる発信者情報画面１００の画面表示中に、優先順位の低い、新たな電話着信を検出すると、同発信者情報画面１００上の切替ボタン１０５を点灯表示すると共に、同切替ボタン１０５のボタン操作を検出すると、新たな電話着信に関わる発信者情報画面１００に切替表示するものである。尚、優先順位設定又は優先順位未設定は、データベース５３に記憶中の発信者番号に対応する優先順位があるか否かで判断し、発信者番号に対応する優先順位があると判定されると、優先順位を設定とし、発信者番号に対応する優先順位がないと判定されると、優先順位を未設定とするものである。また、優先順位を比較する電話着信の内、一つでも優先順位が設定されている場合、優先順位未設定の電話着信においても優先順位を最下位、すなわち“３”として対応するものである。
【００４３】
また、制御部５８は、優先順位設定時において、ある電話着信に関わる発信者情報画面１００の画面表示中に、優先順位の高い又は同等の新たな電話着信を検出すると、同発信者情報画面１００上の優先ボタン１０６を点灯表示すると共に、同優先ボタン１０６のボタン操作を検出すると、新たな電話着信に関わる発信者情報画面１００に切替表示するものである。
【００４４】
尚、請求項記載の電話機はＭＦＴ４、通信端末装置はＰＣ５、発信者情報記憶手段はデータベース５３、発信者番号検出手段は発信者番号検出部５１Ｂ、発信者情報有無判定手段はデータベース検索部５５及び制御部５８、優先順位比較手段、表示制御手段及び制御手段は制御部５８に相当するものである。
【００４５】
次に本実施の形態に関わる電話交換システム１の動作について説明する。図７は発信者番号取得処理に関わるＰＢＸ３、電話インタフェース５１及び制御部５８の処理動作を示す動作シーケンスである。
【００４６】
図７に示す発信者番号取得処理は、ＰＢＸ３側にてＭＦＴ４への電話着信を検出すると、同電話着信に関わる着信ボタン番号及び発信者番号を取得し、これら着信ボタン番号及び発信者番号をＰＣ５側の制御部５８に通知する処理である。
【００４７】
図７に示すＰＢＸ３は、ＭＦＴ４への電話着信を検出すると（ステップＳ１１）、この電話着信に関わる着信ボタン番号をＰＣ５側の電話インタフェース５１に通知する（ステップＳ１２）。
【００４８】
電話インタフェース５１は、着信ボタン番号検出部５１Ａを通じて、ＰＢＸ３から同電話着信に関わる着信ボタン番号を検出すると（ステップＳ１３）、この着信ボタン番号に対応する着信状況フラグを立て（ステップＳ１４）、着信ボタン番号を制御部５８に通知する（ステップＳ１５）。
【００４９】
制御部５８は、着信ボタン番号を検出すると、同電話着信に関わる発信者番号を要求する発信者番号要求を電話インタフェース５１に通知する（ステップＳ１６）。さらに、電話インタフェース５１は、発信者番号要求をＰＢＸ３に通知する（ステップＳ１７）。
【００５０】
ＰＢＸ３は、発信者番号要求を検出すると、同着信ボタン番号に関わる発信者番号要求解析処理を実行することで（ステップＳ１８）、同電話着信に関わる発信者番号を検出し、着信ボタン番号＋発信者番号の形式で電話インタフェース５１に通知する（ステップＳ１９）。
【００５１】
電話インタフェース５１は、発信者番号検出部５１Ｂを通じて発信者番号を検出し（ステップＳ２０）、これら着信ボタン番号＋発信者番号を制御部５８に通知する（ステップＳ２１）。
【００５２】
制御部５８は、着信ボタン番号＋発信者番号を検出すると、同電話着信に関わる発信者番号を取得したことになる（ステップＳ２２）。
【００５３】
また、ＰＢＸ３は、着信応答又は着信終了を検出すると（ステップＳ２３）、着信応答又は着信終了を電話インタフェース５１に通知する（ステップＳ２４）。
【００５４】
電話インタフェース５１は、着信応答又は着信終了を検出すると、同電話着信に関わる着信状況フラグをクリアする（ステップＳ２５）。
【００５５】
図７に示す発信者番号取得処理によれば、ＰＣ５と連動するＭＦＴ４への電話着信を検出すると、同電話着信毎に着信ボタン番号及び発信者番号をＰＣ５側の制御部５８で取得することができる。
【００５６】
図８は発信者情報表示処理に関わるＰＣ５の制御部５８の処理動作を示すフローチャートである。
【００５７】
図８に示す発信者情報表示処理とは、ＭＦＴ４への電話着信の内、特定ユーザからの電話着信を検出した場合にのみ、同特定ユーザの電話着信に関わる発信者情報画面１００をＰＣ５の表示部５７に画面表示する処理である。
【００５８】
図８において制御部５８は、図７に示す発信者番号取得処理にてＭＦＴ４への電話着信に対応した発信者番号を取得すると（ステップＳ３１）、同電話着信に対応した発信者番号に非通知理由が付与されているか否かを判定する（ステップＳ３２）。尚、ステップＳ３２の判断処理は、ＰＢＸ３から取得する発信者番号には非通知理由を付した発信者番号もあるため、発信者番号が取得できても、同非通知理由を付した発信者番号では実際の発信者番号が認識できないため、このような非通知理由を付した発信者番号を省くことを目的とした判断処理である。
【００５９】
制御部５８は、同電話着信に対応した発信者番号に非通知理由がないと判定されると、データベース検索部５５を通じて発信者番号に対応した発信者名称をデータベース５３から検索すべく、発信者名称検索動作を開始する（ステップＳ３３）。
【００６０】
制御部５８は、この発信者名称検索動作にて発信者番号に対応した発信者名称がデータベース５３内にあるか否かを判定する（ステップＳ３４）。制御部５８は、発信者番号に対応した発信者名称があると判定されると、この発信者名称及び現在の着信状況を、同電話着信に関わる着信ボタン番号に対応付けて着信管理メモリ部５２に一時記憶する（ステップＳ３５）。
【００６１】
制御部５８は、これら発信者名称及び現在の着信状況を着信管理メモリ部５２に一時記憶すると、表示部５７に他の電話着信の発信者情報画面１００が表示中であるか否かを判定する（ステップＳ３６）。
【００６２】
制御部５８は、他の電話着信の発信者情報画面１００が表示中であると判定されると、この着信管理メモリ部５２にて一時記憶した新たな電話着信の着信状況や発信者名称に基づき、新たな電話着信の発信者情報画面１００を画面表示することで（ステップＳ３７）、この処理動作を終了する。
【００６３】
また、制御部５８は、ステップＳ３２にて発信者番号に非通知理由があると判定されると、又はステップＳ３４にて発信者番号に対応する発信者名称がデータベース５３内にないと判定されると、この新たな電話着信が特定ユーザ以外の電話着信であると判断し、同電話着信の発信者情報画面１００を画面表示することなく、同電話着信の着信ボタン番号に対応付けて現在の着信状況を着信管理メモリ部５２に一時記憶し（ステップＳ３８）、この処理動作を終了する。尚、制御部５８では、特定ユーザ以外の他の電話着信であるにも拘らず、同電話着信に関わる現在の着信状況を着信管理メモリ部５２に一時記憶しておくことで、現在使用中の着信ボタン４４の通信状況を全体的に把握管理することができる。
【００６４】
制御部５８は、ステップＳ３６にて他の電話着信の発信者情報画面１００が表示中であると判定されると、新たな電話着信の発信者情報画面１００の切替表示を促すべく、発信者情報画面１００上の切替ボタン１０５を点灯表示する（ステップＳ３９）。制御部５８は、切替ボタン１０５を点灯表示すると、同切替ボタン１０５のボタン操作を検出したか否かを判定する（ステップＳ４０）。
【００６５】
制御部５８は、切替ボタン１０５のボタン操作を検出すると、新たな電話着信の発信者情報画面１００に切替表示し（ステップＳ４１）、この処理動作を終了する。尚、ＭＦＴ４のユーザは、新たな電話着信の発信者情報画面１００を目視することで、特定ユーザからの新たな電話着信の発生、さらには、同電話着信の発信者名称等を認識することができる。
【００６６】
また、制御部５８は、ステップＳ４０にて切替ボタン１０５のボタン操作を検出したのでなければ、現在表示中の発信者情報画面の画面表示を継続すべく、この処理動作を終了する。
【００６７】
図８に示す発信者情報表示処理によれば、例えば特定ユーザの発信者番号及び発信者名称をデータベース５３側に予め記憶しておき、ＭＦＴ４への電話着信に応じて同電話着信に関わる発信者番号を検出し、この発信者番号に対応した発信者名称をデータベース５３から検索し、この発信者名称及び発信者番号等を示す発信者情報画面１００を表示部５７に画面表示するようにしたので、ＭＦＴ４のユーザは、電話着信に関わる発信者情報画面１００を見て、特定ユーザからの電話着信の発生及び同電話着信の発信者名を認識することができる。
【００６８】
発信者情報表示処理によれば、電話着信の発信者情報画面１００の画面表示中に、新たな特定ユーザからの電話着信を検出すると、現在画面表示中の発信者情報画面１００上の切替ボタン１０５を点灯表示するようにしたので、ＭＦＴ４のユーザは、切替ボタン１０５の点灯表示を見て特定ユーザからの新たな電話着信の発生を認識することができる。
【００６９】
さらに、この発信者情報表示処理によれば、発信者情報画面１００上の切替ボタン１０５のボタン操作を検出すると、新たな電話着信の発信者情報画面１００を切替表示することができる。また、発信者情報表示処理によれば、同発信者情報画面１００上の切替ボタン１０５のボタン操作を再度検出すると、他の電話着信の発信者情報画面１００を再度切替表示することができる。
【００７０】
尚、図８に示す発信者情報表示処理は優先順位未設定時の処理動作について説明したが、次に優先順位設定時における発信者情報表示処理について説明する。図９は優先順位設定時の発信者情報表示処理に関わるＰＣ５の制御部５８の処理動作を示すフローチャートである。
【００７１】
図９に示す発信者情報表示処理は、ＭＦＴ４への電話着信の内、特定ユーザからの電話着信を複数検出した場合、同電話着信の発信者番号に対応した優先順位に基づき、特定ユーザの電話着信の発信者情報画面１００を表示部５７に画面表示する処理である。
【００７２】
図９において制御部５８は、図７に示す発信者番号取得処理にてＭＦＴ４への電話着信に対応した発信者番号を取得すると（ステップＳ５１）、同電話着信に対応した発信者番号に非通知理由があるか否かを判定する（ステップＳ５２）。
【００７３】
制御部５８は、同電話着信に対応した発信者番号に非通知理由がないと判定されると、データベース検索部５５を通じて発信者番号に対応した発信者名称をデータベース５３から検索すべく、発信者名称検索動作を開始する（ステップＳ５３）。
【００７４】
制御部５８は、この発信者名称検索動作にて発信者番号に対応した発信者名称がデータベース５３内にあるか否かを判定する（ステップＳ５４）。制御部５８は、発信者番号に対応した発信者名称があると判定されると、この発信者名称及び現在の着信状況を、同電話着信に関わる着信ボタン番号に対応付けて着信管理メモリ部５２に一時記憶する（ステップＳ５５）。
【００７５】
制御部５８は、これら発信者情報及び現在の着信状況を着信管理メモリ部５２に一時記憶すると、表示部５７にて他の電話着信の発信者情報画面１００が表示中であるか否かを判定する（ステップＳ５６）。
【００７６】
制御部５８は、他の電話着信の発信者情報画面１００が表示中であると判定されると、新たな電話着信の発信者番号に対応した優先順位をデータベース５３から抽出し（ステップＳ５７）、さらに画面表示中の発信者情報画面１００の電話着信に関わる発信者番号に対応した優先順位をデータベース５３から抽出する（ステップＳ５８）。
【００７７】
制御部５８は、これら電話着信の優先順位同士を比較し（ステップＳ５９）、新たな電話着信の優先順位の方が高い又は同等であるか否かを判定する（ステップＳ６０）。
【００７８】
制御部５８は、新たな電話着信の優先順位の方が高い又は同等であると判定されると、現在表示中の発信者情報画面１００上の優先ボタン１０６を点灯表示し（ステップＳ６１）、この優先ボタン１０６のボタン操作を検出したか否かを判定する（ステップＳ６２）。
【００７９】
制御部５８は、優先ボタン１０６のボタン操作を検出したのであれば、新たな電話着信の発信者情報画面１００に切替表示し（ステップＳ６３）、この処理動作を終了する。
【００８０】
制御部５８は、ステップＳ５２にて発信者番号に非通知理由があると判定されると、又はステップＳ５４にて発信者番号に対応した発信者名称がデータベース５３内にないと判定されると、この新たな電話着信が特定ユーザ以外の他の電話着信であると判断し、同電話着信の発信者情報画面１００を画面表示することなく、同電話着信の着信ボタン番号に対応付けて現在の着信状況を着信管理メモリ部５２に一時記憶し（ステップＳ６４）、この処理動作を終了する。
【００８１】
また、制御部５８は、ステップＳ５６にて他の電話着信の発信者情報画面１００が画面表示中でないと判定されると、ステップＳ５５にて着信管理メモリ部５２に一時記憶した着信状況及び発信者名称に基づき、新たな電話着信の発信者情報画面１００を画面表示し（ステップＳ６５）、この処理動作を終了する。
【００８２】
また、制御部５８は、ステップＳ６０にて新たな電話着信の優先順位の方が高い又は同等でない、すなわち現在表示中の発信者情報画面１００の電話着信の優先順位の方が高いものと判断し、現在表示中の発信者情報画面１００上の切替ボタン１０５を点灯表示し（ステップＳ６６）、この切替ボタン１０５のボタン操作を検出したか否かを判定する（ステップＳ６７）。
【００８３】
制御部５８は、切替ボタン１０５のボタン操作を検出したのであれば、新たな電話着信の発信者情報画面１００に切替表示すべく、ステップＳ６３に移行する。
【００８４】
制御部５８は、ステップＳ６２にて優先ボタン１０６のボタン操作を検出したのでなければ、又はステップＳ６７にて切替ボタン１０５のボタン操作を検出したのでなければ、この処理動作を終了する。
【００８５】
図９に示す優先順位設定時の発信者情報表示処理によれば、特定ユーザの発信者番号に優先順位を予め付与し、これら発信者番号、発信者名称及び優先順位をデータベース５３に予め記憶しておき、ＭＦＴ４への電話着信の内、特定ユーザからの電話着信を複数検出した場合、電話着信同士の優先順位を比較し、新たな電話着信の優先順位の方が高い若しくは同等であると判定されると、現在表示中の発信者情報画面１００上の優先ボタン１０６を点灯表示するようにしたので、ＭＦＴ４のユーザは、特定ユーザの電話着信に関わる発信者情報画面１００を見て、特定ユーザからの新たな電話着信の発生を認識することができることはもちろんのこと、発信者情報画面１００上の優先ボタン１０６の点灯表示を見て、現在表示中の電話着信よりも優先順位の高い若しくは同等の新たな電話着信の発生を認識することができる。
【００８６】
さらに、優先順位設定時の発信者情報表示処理によれば、発信者情報画面１００上に点灯表示中の優先ボタン１０６のボタン操作を検出すると、新たな電話着信の発信者情報画面１００に切替表示するようにしたので、ＭＦＴ４のユーザは、特定ユーザの電話着信の内、優先順位の高い若しくは同等の電話着信の発信者情報画面１００を認識することができる。また、この発信者情報表示処理によれば、この新たな電話着信の発信者情報画面１００上の切替ボタン１０５のボタン操作を検出すると、再度、切替表示前の他の電話着信の発信者情報画面１００を切替表示することができる。
【００８７】
優先順位設定時の発信者情報表示処理によれば、電話着信同士の優先順位を比較し、新たな電話着信の優先順位の方が低いと判定されると、現在画面表示中の発信者情報画面１００上の切替ボタン１０５を点灯表示するようにしたので、ＭＦＴ４のユーザは、発信者情報画面１００上の切替ボタン１０５の点灯表示を見て、現在表示中の電話着信よりも優先順位の低い新たな電話着信の発生を認識することができる。
【００８８】
さらに、優先順位設定時の発信者情報表示処理によれば、発信者情報画面１００上に点灯表示中の切替ボタン１０５のボタン操作を検出すると、新たな電話着信の発信者情報画面１００に切替表示するようにしたので、ＭＦＴ４のユーザは、特定ユーザの電話着信の内、優先順位の低い新たな電話着信の発信者情報画面１００を認識することができる。
【００８９】
本実施の形態によれば、特定ユーザの電話着信の発信者番号に対応した発信者名称をデータベース５３に予め記憶しておき、ＭＦＴ４への電話着信に応じて同着信に関わる発信者番号を検出すると、この発信者番号に対応する発信者名称がデータベース５３内にあるか否かを判定し、同発信者番号に対応する発信者名称があると判定されると、同発信者名称を示す発信者情報画面１００を画面表示するようにしたので、電話着信の内、特定ユーザ以外の他の電話着信に関わる発信者情報画面が画面表示されることはなく、ＭＦＴ４のユーザは、電話着信に関わる発信者情報画面１００を見て、特定ユーザからの電話着信の発生及び同電話着信の発信者情報を認識することができる。
【００９０】
本実施の形態によれば、発信者番号に対応する発信者名称がデータベース５３内にないと判定されると、この発信者番号に関わる情報の画面表示を禁止するようにしたので、特定ユーザ以外の他の電話着信に関わる情報が画面表示されることはなく、ＭＦＴ４のユーザは、特定ユーザからの電話着信の発生及び同電話着信の発信者名称を認識することができる。
【００９１】
本実施の形態によれば、発信者番号毎に発信者名称及び優先順位をデータベース５３に予め記憶管理しておき、他の電話着信の発信者情報画面１００の画面表示中に、新たな電話着信の発信者番号に対応した発信者名称がデータベース５３内にあると判定されると、新たな電話着信に関わる優先順位と現在画面表示中の電話着信に関わる優先順位とを比較し、新たな電話着信に関わる優先順位の方が高い若しくは同等であるとの比較結果を得ると、現在画面表示中の発信者情報画面１００の優先ボタン１０６を点灯表示するようにしたので、ＭＦＴ４のユーザは、特定ユーザからの電話着信が複数発生したとしても、優先ボタン１０６の点灯表示を見て、現在画面表示中の発信者情報画面１００の電話着信よりも、優先順位の高い若しくは同等の新たな電話着信の発生を認識することができる。
【００９２】
本実施の形態によれば、電話着信の発信者情報画面１００の画面表示中に、同画面上の応答ボタン１０４のボタン操作を検出すると、同発信者情報画面１００の電話着信に対して応答するようにしたので、ＭＦＴ４のユーザは、応答ボタン１０４のボタン操作で同電話着信に応答することができる。
【００９３】
本実施の形態によれば、電話着信の発信者情報画面１００の画面表示中に、同画面上の切替ボタン１０５のボタン操作を検出すると、現在表示中の電話着信の発信者情報画面１００から他の電話着信の発信者情報画面１００に切替表示するようにしたので、ＭＦＴ４のユーザは、切替ボタン１０５のボタン操作で他の電話着信に関わる発信者情報画面に切替表示することができる。
【００９４】
尚、上記実施の形態においては、ＰＣ５の表示部５７の発信者情報画面１００の表示スペースを極力抑えるために、同発信者情報画面１００内に単一の電話着信の情報しか画面表示することができないようにしたが、表示スペースを大きくとることができることを考えれば、当然、特定ユーザからＮ個の電話着信を順次検出した場合、単一ではなく、これらＮ個の電話着信に関わる情報を一覧表示するようにしても良く、同様の効果が得られることは言うまでもない。その際には、優先順位の高い順に電話着信に関わる情報（着信ボタン番号＋発信者番号＋発信者名称）を一覧表示するようにしても良い。
【００９５】
また、上記実施の形態においては、発信者情報として発信者名称を例に挙げて説明したが、ＭＦＴ４のユーザが発信者番号から特定ユーザであることを認識することができる情報であれば、他の情報等であっても同様の効果が得られることは言うまでもない。
【００９６】
また、上記実施の形態においては、電話着信同士の優先順位の比較結果に基づき、新たな電話着信の優先順位の方が高い若しくは同等であると判定されると、現在表示中の発信者情報画面１００上の優先ボタン１０６を点灯表示し、この優先ボタン１０６のボタン操作を検出すると、新たな電話着信の発信者情報画面１００に切替表示するようにしたが、優先ボタン１０６のボタン操作を待たず、例えば新たな電話着信の優先順位の方が高い若しくは同等であると判定されると、現在表示中の発信者情報画面１００を新たな電話着信の発信者情報画面１００に切替表示するようにしても良い。
【００９７】
また、上記実施の形態においては、ＭＦＴ４への電話着信を検出すると、この電話着信の発信者番号に対応した発信者名称がデータベース５３内にあるか否かを判定し、同データベース５３内に発信者番号に対応する発信者名称があると判定されると、特定ユーザの電話着信であると判断し、同電話着信の発信者情報画面１００を画面表示するようにしたが、例えば電話着信の発信者番号がデータベース５３内にあるか否かを判定し、同データベース５３内に発信者番号があると判定されると、同電話着信の発信者番号だけを示す発信者情報画面１００を画面表示するようにしても良く、この場合、電話着信の内、特定ユーザ以外の他の電話着信に関わる発信者番号が画面表示されることはなく、ＭＦＴ４のユーザは、電話着信に関わる発信者番号の画面表示（発信者情報画面）を見て、特定ユーザからの電話着信の発生及び同電話着信の発信者番号を認識することができる。
【産業上の利用可能性】
【００９８】
本発明の通信端末装置によれば、連動する電話機への電話着信を検出したとしても、特定の電話着信に関わる発信者番号に対応した発信者情報だけしか、電話制御アプリケーションの表示画面上に画面表示しないようにしたので、例えば特定のユーザからの電話着信しか受け付けない仕様とする場合には非常に使い勝手がよく、電話機と連動する電話制御アプリケーションを備えた通信端末装置を収容接続する各種の電話交換システムに有用である。
【図面の簡単な説明】
【００９９】
【図１】本発明の通信端末装置に関わる実施の形態を示す電話交換システム全体の概略構成を示すブロック図である。
【図２】本実施の形態に関わるＭＦＴの盤面を示す説明図である。
【図３】本実施の形態に関わるＰＣ内部の概略構成を示すブロック図である。
【図４】本実施の形態に関わるデータベースのメモリ内容を端的に示す説明図である。
【図５】本実施の形態に関わる着信管理メモリ部のメモリ内容を端的に示す説明図である。
【図６】本実施の形態に関わる発信者情報表示処理時のＰＣ側の表示内容を端的に示す説明図である。
【図７】本実施の形態の発信者番号取得処理に関わるＰＢＸ、電話インタフェース及び制御部の処理動作を端的に示す動作シーケンスである。
【図８】本実施の形態に関わる優先順位未設定時の発信者情報表示処理に関わる制御部の処理動作を示すフローチャートである。
【図９】本実施の形態に関わる優先順位設定時の発信者情報表示処理に関わる制御部の処理動作を示すフローチャートである。
【符号の説明】
【０１００】
４  多機能電話機（ＭＦＴ：電話機）
５  通信端末装置（ＰＣ：パソコン）
５１Ｂ  発信者番号検出部（発信者番号検出手段）
５３  データベース（発信者情報記憶手段）
５５  データベース検索部（発信者情報有無判定手段）
５８  制御部（発信者情報有無判定手段、優先順位比較手段、表示制御手段及び制御手段）
【図１】
2006020146.tif 000003
【図２】
2006020146.tif 000004
【図３】
2006020146.tif 000005
【図４】
2006020146.tif 000006
【図５】
2006020146.tif 000007
【図６】
2006020146.tif 000008
【図７】
2006020146.tif 000009
【図８】
2006020146.tif 000010
【図９】
2006020146.tif 000011